(57)【要約】【課題】  ＤＣ分電盤での制御電源遮断後の一括投入時及び不慮の電圧低下後の電源復電時において、各装置の動作不統一による正誤確認作業を削減する。【解決手段】  ＤＣ分電盤１０は、制御電源１の電源分割を行うとともに、複数の装置に対して電源供給を行う。また、ＤＣ分電盤１０は、ＡＣ無停電電源２から電源の供給を受けるＡＣ／ＤＣ電源装置１３と、ＡＣ／ＤＣ電源装置によって駆動し、制御電源１が設定電圧以下になると接点が閉じる不足電圧リレー１４と、接点が閉じるとコイルが励磁されることにより、複数の装置内の回路の動作を抑制する補助リレー１５と、を備える。【選択図】図１
2014180073.tif 000002
【特許請求の範囲】
【請求項１】
制御電源の電源分割を行うとともに、複数の装置に対して電源供給を行う保護制御用分電盤であって、
無停電電源から電源の供給を受ける電源装置と、
前記電源装置によって駆動し、前記制御電源が設定電圧以下になると接点が閉じる不足電圧リレーと、
前記接点が閉じるとコイルが励磁されることにより、前記複数の装置内の回路の動作を抑制する抑制手段と、
を備える保護制御用分電盤。
【請求項２】
前記抑制手段は、前記接点が閉じるとコイルが励磁されることにより、前記複数の装置に設けられた電源異常検出ラッチ回路の接点を開ける補助リレーである請求項１記載の保護制御用分電盤。
【請求項３】
前記補助リレーの接点を複数設け、当該複数の接点のいずれかが閉じたときに前記補助リレーが動作し、前記複数の装置に設けられた電源異常検出ラッチ回路の接点を開ける請求項２記載の保護制御用分電盤。
【請求項４】
前記制御電源を複数設けて多重化し、当該複数の制御電源の負荷側にそれぞれ前記電源装置、前記不足電圧リレー及び前記補助リレーを設けた請求項２記載の保護制御用分電盤。
【請求項５】
前記抑制手段は、前記接点が閉じるとコイルが励磁されることにより、前記複数の装置への供給電源を遮断する電磁接触器である請求項１記載の保護制御用分電盤。
【請求項６】
前記電源装置、前記不足電圧リレー及び前記電磁接触器を複数設け、前記各電磁接触器は前記複数の装置の一部の供給電源を遮断する請求項５記載の保護制御用分電盤。
【請求項７】
制御電源の電源分割を行うとともに、複数の装置に対して電源供給を行う保護制御用分電盤及び当該分電盤と接続された複数の装置を有する電気所保護制御システムであって、
前記保護制御用分電盤は、無停電電源から電源の供給を受ける電源装置と、前記電源装置によって駆動し、前記制御電源が設定電圧以下になると接点が閉じる不足電圧リレーと、前記接点が閉じるとコイルが励磁されることにより、前記複数の装置内の回路の動作を抑制する抑制手段と、を備え、
前記装置は、制御電源を降圧するＤＣ電源装置と、前記制御電源の電源の異常を検出する電源異常検出部と、該電源異常検出部により電源の異常を検出するとラッチを行う電源異常検出ラッチ回路と、前記電源異常検出部及び前記電源異常検出ラッチ回路を接続するとともに、前記抑制手段における前記コイルが励磁されると開き、前記電源異常検出ラッチ回路をロックするノーマルクローズ接点を有する補助リレーと、
を備える電気所保護制御システム。
【発明の詳細な説明】
【技術分野】
【０００１】
本発明の実施形態は、発電所、変電所、開閉所等の電気所を保護、制御するための分電盤及び該分電盤を用いた電気所保護制御システムに関する。
【背景技術】
【０００２】
図１１に、従来の電気所保護制御システムの概略について示す。この電気所保護制御システム１５０は、ＤＣ分電盤１１０及び該ＤＣ分電盤１１０に接続された複数の装置Ａ４〜Ｄ４を備えている。ＤＣ分電盤１１０の入力側に設けられた制御電源６は、ＤＣ分電盤１１０のＭＣＣＢ１スイッチ１１１より４分割され、ＭＣＣＢ２スイッチ１１２ａ，ＭＣＣＢ３スイッチ１１２ｂ，ＭＣＣＢ４スイッチ１１２ｃ，ＭＣＣＢ５スイッチ１１２ｄを介して電源供給先の各装置Ａ４、Ｂ４、Ｃ４、Ｄ４にそれぞれ供給される。各装置Ａ４〜Ｄ４は同一の構成を有しているので、以下、装置Ａ４、Ｂ４について説明する。
【０００３】
装置Ａ４では、制御電源をＤＣ／ＤＣ電源装置１１３ａで降圧し、この降圧した電源を制御ユニット１１４ａへ供給する。制御ユニット１１４ａは、電源異常検出部１１５ａを実装しており、電圧レベル監視により電源異常を検出した場合、電源異常検出ラッチ回路１１６ａでラッチし、制御モードロック１１７ａへの移行及び警報１１８ａを発報する。
【０００４】
装置Ｂ４においても、装置Ａ４と同様に、ＤＣ／ＤＣ電源装置１１３ｂで降圧した電源を制御ユニット１１４ｂの電源異常検出部１１５ｂで電圧レベル監視し、電源異常を検出した場合は、電源異常検出ラッチ回路１１６ｂでラッチし、制御モードロック１１７ｂへの移行及び警報１１８ｂを発報する。
【０００５】
図１２に、単回路構成である電気所保護制御システム１５０を複回路にした電気所保護制御システムの構成について示す。この電気所保護制御システム１６０では、ＤＣ分電盤１２０において装置用制御電源がＭＣＣＢ１スイッチ１２１より２分割され、ＭＣＣＢ２スイッチ１２２ａを介して電源供給先の装置Ａ５、装置Ｂ５に供給される一方、ＭＣＣＢ３スイッチ１２２ｂを介して電源供給先の装置Ｃ５、装置Ｄ５に供給される以外は、電気所保護制御システム１５０と同様の構成を備えている。
【０００６】
上記の電気所保護制御システム１５０の運転に際しては、ＤＣ分電盤１１０での制御電源６遮断後の一括投入時または不慮の電圧低下後の電源復電時に、制御ユニット１１４ａ、１１４ｂの電源異常検出部１１５ａ、１１５ｂにおける電源異常検出電圧等の個体誤差により、制御モードロック１１７ａ、１１７ｂへの移行の有無及び警報１１８ａ、１１８ｂ発報の有無について、各装置で動作の不統一が生じる場合がある。また、同様の理由により電気所保護制御システム１６０においても各装置で動作の不統一が生じる場合がある。この動作の不統一について以下に具体的に説明する。
【０００７】
図１３は、従来の電気所保護制御システム１５０の電源異常動作に関するタイムチャートである。なお、この図は、装置Ａ４と装置Ｂ４の電源異常検出電圧が相違する場合の電源復電時の動作の違いを示すものである。
【０００８】
先ず、制御電源電圧Ｖ１が装置Ａ４の制御ユニット動作可能電圧Ｖ２以上になると、時刻Ｔ１において電源異常検出部１１５ａが動作し、さらに装置Ｂ４の制御ユニット動作可能電圧Ｖ３以上になると、時刻Ｔ２において電源異常検出部１１５ｂが即時動作する。しかし、まだ電源異常検出ラッチ回路動作電圧Ｖ５に達していないため電源異常検出ラッチ回路１１６ａ、１１６ｂは動作しない。その後、電源異常検出ラッチ回路動作電圧Ｖ５まで上昇したときは（時刻Ｔ４）、装置Ａ４では電源異常検出部１１５ａの動作時刻（Ｔ１〜Ｔ３）を経過しているので、電源異常検出ラッチ回路１１６ａは動作しない。
【０００９】
これに対して、装置Ｂ４では、時刻Ｔ４において電源異常検出部１１５ｂの動作時刻内（Ｔ２〜Ｔ５）であるため、電源異常検出ラッチ回路１１６ｂが動作し、制御モードロック１１７ｂ及び警報１１８ｂが発報される。この時の装置Ｂ４の制御モードロック１１７ｂ及び警報１１８ｂは不必要な動作であり、運転上正誤確認作業が必要となってしまう。
【先行技術文献】
【特許文献】
【００１０】
【特許文献１】特開２０００−１７５３５９号公報
【発明の概要】
【発明が解決しようとする課題】
【００１１】
本発明の実施形態は、ＤＣ分電盤での制御電源遮断後の一括投入時及び不慮の電圧低下後の電源復電時において、各装置の動作不統一による正誤確認作業を削減することを目的とする。
【課題を解決するための手段】
【００１２】
本発明の実施形態は、制御電源の電源分割を行うとともに、複数の装置に対して電源供給を行う保護制御用分電盤であって、無停電電源から電源の供給を受ける電源装置と、前記電源装置によって駆動し、前記制御電源が設定電圧以下になると接点が閉じる不足電圧リレーと、前記接点が閉じるとコイルが励磁されることにより、前記複数の装置内の回路の動作を抑制する抑制手段と、を備えることを特徴とする。
【００１３】
また、本発明の他の実施形態は、制御電源の電源分割を行うとともに、複数の装置に対して電源供給を行う保護制御用分電盤及び当該分電盤と接続された複数の装置を有する電気所保護制御システムであって、前記保護制御用分電盤は、無停電電源から電源の供給を受ける電源装置と、前記電源装置によって駆動し、前記制御電源が設定電圧以下になると接点が閉じる不足電圧リレーと、前記接点が閉じるとコイルが励磁されることにより、前記複数の装置内の回路の動作を抑制する抑制手段と、を備え、前記装置は、制御電源を降圧するＤＣ電源装置と、前記制御電源の電源の異常を検出する電源異常検出部と、該電源異常検出部により電源の異常を検出するとラッチを行う電源異常検出ラッチ回路と、前記電源異常検出部及び前記電源異常検出ラッチ回路を接続するとともに、前記抑制手段における前記コイルが励磁されると開き、前記電源異常検出ラッチ回路をロックするノーマルクローズ接点を有する補助リレーと、を備えることを特徴とする。
【図面の簡単な説明】
【００１４】
【図１】第１の実施形態に係る電気所保護制御システムのＤＣ分電盤の構成を示す概略図である。
【図２】第１の実施形態に係る電気所保護制御システムの各装置の構成を示す概略図である。
【図３】第１の実施形態に係る電気所保護制御システムの電源異常動作に関するタイムチャートである。
【図４】第２の実施形態に係る電気所保護制御システムのＤＣ分電盤の構成を示す概略図である。
【図５】第２の実施形態に係る電気所保護制御システムの電源異常動作に関するタイムチャートである。
【図６】第３の実施形態に係る電気所保護制御システムのＤＣ分電盤の構成を示す概略図である。
【図７】第３の実施形態に係る電気所保護制御システムの各装置の構成を示す概略図である。
【図８】第４の実施形態に係る電気所保護制御システムのＤＣ分電盤の構成を示す概略図である。
【図９】第５の実施形態に係る電気所保護制御システムのＤＣ分電盤の構成を示す概略図である。
【図１０】第５の実施形態に係る電気所保護制御システムの各装置の構成を示す概略図である。
【図１１】従来の電気所保護制御システムの構成を示す概略図である。
【図１２】従来の他の電気所保護制御システムの構成を示す概略図である。
【図１３】従来の電気所保護制御システムの電源異常動作に関するタイムチャートである。
【発明を実施するための形態】
【００１５】
以下、本発明の実施形態について、図面を参照して具体的に説明する。
【００１６】
［第１の実施形態］
（構成）
本発明の第１の実施形態に係る電気所保護制御システム２０は、図１に示すＤＣ分電盤１０と、図２に示す４つの装置Ａ１〜装置Ｄ１とで構成される。
【００１７】
図１に示すＤＣ分電盤１０は、ＡＣ無停電電源２から電源の供給を受けるＡＣ／ＤＣ電源装置１３と、設定電圧以下になると接点が閉じる不足電圧リレー１４と、前記接点が閉じるとコイルが励磁される補助リレー８０Ｘ  １５とで構成される。また、制御電源１は、ＤＣ分電盤１０より装置の数だけ分岐され、図２に示す装置Ａ１〜装置Ｄ１と接続される。なお、不足電圧リレー１４の動作電圧は、任意に設定することができる。
【００１８】
図２に示す装置Ａ１は、制御電源を降圧するＤＣ／ＤＣ電源装置２１ａと、各部の制御を行う制御ユニット２２ａと、電源の異常を検出するとラッチを行う電源異常検出ラッチ回路２５ａと、制御ユニット２２ａ及び電源異常検出ラッチ回路２５ａを接続する補助リレー８０Ｘ、とを備えている。補助リレー８０Ｘは、コイルが励磁すると開き、電源異常検出ラッチ回路２５ａをロックするノーマルクローズ接点２４ａを有している。また、制御ユニット２２ａは、電源異常検出部２３ａを実装している。
【００１９】
装置Ｂ１、装置Ｃ１、装置Ｄ１も、装置Ａ１と同様に、それぞれ、ＤＣ／ＤＣ電源装置２１ｂ、２１ｃ、２１ｄと、制御ユニット２２ｂ、２２ｃ、２２ｄと、制御ユニット２２ｂ、２２ｃ、２２ｄに実装された電源異常検出部２３ｂ、２３ｃ、２３ｄと、ノーマルクローズ接点２４ｂ、２４ｃ、２４ｄを有する補助リレー８０Ｘと、電源異常検出ラッチ回路２５ｂ、２５ｃ、２５ｄと、を備えている。
【００２０】
（作用）
まず、図１に示すＤＣ分電盤１０各部の作用について説明する。
ＡＣ／ＤＣ電源装置１３は、ＡＣ無停電電源２からの電源をＡＣからＤＣに変換し、ＤＣ不足電圧検出回路用電源とする。不足電圧リレー１４は、ＭＣＣＢ２スイッチ１２ａの電源側から制御電源１を取り込み、電圧レベル監視を行う。制御電源１の電圧が不足電圧リレー１４の設定電圧以下となると、内部接点が閉じる。補助リレー８０Ｘ  １５では、前記接点が閉じるとコイルが励磁される。
【００２１】
次に、図２の各装置各部の作用について、装置Ａ１及び装置Ｂ１を取り上げて説明する。なお、装置Ｃ１〜装置Ｄ１についても同様の作用を有するため、説明を省略する。
【００２２】
図３は、第１の実施形態に係る電気所保護制御システム２０の電源異常動作に関するタイムチャートである。なお、本図は、装置Ａ１と装置Ｂ１の電源異常検出電圧が相違する場合の電源復電時の動作の違いを示すものである。即ち、ＭＣＣＢ１スイッチ１１による装置Ａ１〜Ｄ１への制御電源１の一括投入時の装置Ａ１とＢ１の動作を示している。
【００２３】
先ず、制御電源１の電圧Ｖ１が装置Ａ１の制御ユニット２２ａの動作可能電圧Ｖ２以上になると、時刻Ｔ１において電源異常検出部２３ａが動作し、さらに装置Ｂ１の制御ユニット動作可能電圧Ｖ３以上になると、時刻Ｔ２において電源異常検出部２３ｂが即時動作する。しかし、まだ電源異常検出ラッチ回路の動作電圧Ｖ５に達していないため、電源異常検出ラッチ回路２５ａ、２５ｂは動作しない。その後、電源異常検出ラッチ回路２５ａ、２５ｂの動作電圧Ｖ５まで上昇したとき（時刻Ｔ４）、装置Ａ１では電源異常検出部２３ａの動作時刻（Ｔ１〜Ｔ３）を経過しているので、電源異常検出ラッチ回路２５ａは動作しない。
【００２４】
これに対して、図１１及び図１２に示す従来のシステムでは、電源異常検出ラッチ回路の動作電圧Ｖ５に到達した時点で、装置Ｂ５の電源異常検出部１２５ｂが動作しているため、電源異常検出ラッチ回路１２６ｂが動作し、制御モードロック１２７ｂ及び警報１２８ｂが発報される。
【００２５】
しかし、本実施形態のシステム２０では、不足電圧リレー１４の内部接点は閉し、補助リレー８０Ｘのノーマルクローズ接点２４ｂは開いている（時刻Ａ）ため、電源異常検出ラッチ回路２５ｂは動作しない（Ｂ部分）。このため、制御モードロック及び警報が誤発報されることがない。
【００２６】
（効果）
以上説明したように、本実施形態では、装置Ａ１〜Ｄ１の制御電源１の電圧をＤＣ分電盤１０の不足電圧リレー１４で集中監視し、任意設定の電圧以下で、装置Ａ１〜Ｄ１の電源異常検出ラッチ回路２５ａ、２５ｂ、２５ｃ、２５ｄを同時にロックできるため、ＤＣ分電盤１０のＭＣＣＢ１スイッチ１１による装置Ａ１〜Ｄ１への制御電源１の一括投入時、または不慮の電圧低下後の電源復電時において装置動作統一が図れ、正誤確認作業は不要となる。
【００２７】
［第２の実施形態］
（構成）
本発明の第２の実施形態に係る電気所保護制御システム４０は、図４に示すＤＣ分電盤３０と、図１１に示す従来の４つの装置Ａ４〜Ｄ４とで構成される。
【００２８】
図４に示すＤＣ分電盤３０は、ＡＣ無停電電源２から電源の供給を受けるＡＣ／ＤＣ電源装置３３と、設定電圧以下になると接点が閉じる不足電圧リレー３４と、前記接点が閉じるとコイルが励磁される電磁接触器Ｙ（３５）と、電磁接触器Ｙ（３５）のノーマルクローズＹ接点３６とで構成される。電磁接触器Ｙ（３５）のノーマルクローズＹ接点３６は、コイルが励磁すると開き、装置Ａ４〜装置Ｄ４への電源供給を遮断する。また、制御電源１は、ＤＣ分電盤３０より装置の数だけ分岐され、図１１に示す装置Ａ４〜装置Ｄ４と接続される。なお、不足電圧リレー３４の動作電圧は任意に設定ができる。
【００２９】
（作用）
次に、図４のＤＣ分電盤３０の各部の作用について説明する。
【００３０】
ＡＣ／ＤＣ電源装置３３は、ＡＣ無停電電源２からの電源をＡＣからＤＣに変換し、ＤＣ不足電圧検出回路用電源とする。不足電圧リレー３４は、電源分割ＭＣＣＢ２スイッチ３２ａの電源側から制御電源１を取り込み、電圧レベル監視を行う。制御電源１の電圧が不足電圧リレー３４の設定電圧以下となると内部接点が閉じる。電磁接触器Ｙ（３５）では、前記接点が閉じるとコイルが励磁される。
【００３１】
図５は、第２の実施形態に係る電気所保護制御システムの電源異常動作に関するタイムチャートである。なお、本図は、装置Ａ４と装置Ｂ４の電源異常検出電圧が相違する場合の電源復電時の動作の違いを示すものである。即ち、ＭＣＣＢ１スイッチ３１による装置Ａ４〜Ｄ４の制御電源１への一括投入時の装置Ａ４とＢ４の動作を示している。
【００３２】
図１１に示す従来のシステムでは、電源異常検出ラッチ回路の動作電圧Ｖ５に到達した時点（時刻Ｔ４）で、装置Ｂ４の電源異常検出部１１５ｂが動作しているため電源異常検出ラッチ回路１１６ｂは動作するところである。
【００３３】
これに対して、本実施形態のシステム４０では、時刻Ｔ４と同時刻である時刻Ｃにおいて、不足電圧リレー３４の内部接点は閉し電磁接触器Ｙ（３５）及びノーマルクローズＹ接点３６は開いている。このため、制御電源電圧（装置側）は、ＤＣ分電盤の動作電圧Ｖ８となるまで（即ち、Ｔ６まで）０Ｖであり、電源異常検出ラッチ回路１１６ｂは動作しない（Ｄ部分）。このため、制御モードロック及び警報が誤発報されることがない。
【００３４】
（効果）
以上説明したように、本実施形態では、装置Ａ４〜装置Ｄ４の制御電源電圧をＤＣ分電盤３０の不足電圧リレー３４で集中監視し、任意の設定電圧以下では、装置Ａ４〜装置Ｄ４への供給電源を遮断するため、装置動作不統一となる電圧域では、電圧レベルを０Ｖとして、電源供給先装置の電源異常検出ラッチ回路１１６ａ、１１６ｂ、１１６ｃ、１１６ｄの動作を抑制できる。このため、ＤＣ分電盤３０のＭＣＣＢ１スイッチ３１による制御電源１の一括投入時、または不慮の電圧低下後の電源復電時、装置動作統一が図れ、正誤確認作業は不要となる。
【００３５】
［第３の実施形態］
（構成）
本発明の第３の実施形態に係る電気所保護制御システム６０は、図６に示すＤＣ分電盤５０と、図７に示す４つの装置Ａ２〜Ｄ２とで構成される。
【００３６】
ＤＣ分電盤５０は、装置Ａ２及び装置Ｂ２を対象とする分電盤回路５０ａと、装置Ｃ２及び装置Ｄ２を対象とする分電盤回路５０ｂからなっている。分電盤回路５０ａは、ＡＣ無停電電源４から電源の供給を受けるＡＣ／ＤＣ電源装置５３と、設定電圧以下になると接点が閉じる不足電圧リレー５４ａと、接点が閉じるとコイルが励磁される補助リレー８０Ｘ１  ５５ａと、ＭＣＣＢ２スイッチ５２ａが入で閉じる補助接点５６ａと、を有している。
【００３７】
また、分電盤回路５０ｂは、分電盤回路５０ａのＡＣ／ＤＣ電源装置５３から分岐して接続されるとともに設定電圧以下になると接点が閉じる不足電圧リレー５４ｂと、接点が閉じるとコイルが励磁される補助リレー８０Ｘ２  ５５ｂとを有し、不足電圧リレー５４ｂ及び補助リレー８０Ｘ２  ５５ｂの間には、ＭＣＣＢ３スイッチ５２ｂが入で閉じる補助接点５６ｂが設けられている。
【００３８】
さらに、分電盤回路５０ｂには、ＭＣＣＢ２スイッチ５２ａの負荷側電圧用に設けられた不足電圧リレー５４ａの接点出力を受けた接点増幅用の補助リレー８０Ｘ１  ５５ａの接点５７ａと、ＭＣＣＢ３スイッチ５２ｂの負荷側電圧用に設けられた不足電圧リレー５４ｂの接点出力を受けた接点増幅用補助リレー８０Ｘ２  ５５ｂの接点５７ｂとのＯＲ条件とし、これらの接点のいずれかが閉じるとコイルが励磁される補助リレー８０Ｘ３  ５５ｃが設けられている。
【００３９】
また、図６に示すＤＣ分電盤５０では、電源分割用のＭＣＣＢ２スイッチ５２ａの負荷側に装置Ａ２及びＢ２が接続される一方、ＭＣＣＢ３スイッチ５２ｂの負荷側に装置Ｃ２及びＤ２が接続されている。
【００４０】
図７に示す装置Ａ２は、制御電源を降圧するＤＣ／ＤＣ電源装置６３ａと、各部の制御を行う制御ユニット６４ａと、電源の異常を検出するとラッチを行う電源異常検出ラッチ回路６７ａと、制御ユニット６４ａ及び電源異常検出ラッチ回路６７ａを接続する補助リレー８０Ｘ３、とを備えている。補助リレー８０Ｘ３は、コイルが励磁すると開き、電源異常検出ラッチ回路６７ａをロックするノーマルクローズ接点６６ａを有している。また、制御ユニット６４ａは、電源異常検出部６５ａを実装している。
【００４１】
装置Ｂ２、装置Ｃ２、装置Ｄ２も、装置Ａ２と同様に、それぞれ、ＤＣ／ＤＣ電源装置６３ｂ、６３ｃ、６３ｄと、制御ユニット６４ｂ、６４ｃ、６４ｄと、制御ユニット６４ｂ、６４ｃ、６４ｄに実装された電源異常検出部６５ｂ、６５ｃ、６５ｄと、ノーマルクローズ接点６６ｂ、６６ｃ、６６ｄを有する補助リレー８０Ｘと、電源異常検出ラッチ回路６７ｂ、６７ｃ、６７ｄと、を備えている。
【００４２】
（作用）
まず、図６に示すＤＣ分電盤５０の各部の作用を説明する。
制御電源３は、ＭＣＣＢ１スイッチ５１を介してＭＣＣＢ２スイッチ５２ａとＭＣＣＢ３スイッチ５２ｂにて電源分割される。ＭＣＣＢ２スイッチ５２ａは、装置Ａ２と装置Ｂ２に対して制御電源３を一括で開閉する。他方、ＭＣＣＢ３スイッチ５２ｂは、装置Ｃ２〜Ｄ２に対して制御電源３を一括で開閉する。
【００４３】
分電盤回路５０ａにおいて、ＡＣ／ＤＣ電源装置５３は、ＡＣ無停電電源４からの電源をＡＣからＤＣに変換してＤＣ不足電圧検出回路用電源とし、不足電圧リレー５４ａは、ＭＣＣＢ２スイッチ５２ａの負荷側から制御電源３を取り込み電圧レベル監視を行う。制御電源３の電圧が不足電圧リレー５４ａの設定電圧以下となると内部接点が閉じる。補助リレー８０Ｘ１  ５５ａは、不足電圧リレー５４ａの内部接点が閉でかつＭＣＣＢ２スイッチ５２ａ入でＭＣＣＢ２補助接点５６ａが閉のとき励磁される。
【００４４】
また、分電盤回路５０ｂにおいても、補助リレー８０Ｘ２  ５５ｂは、不足電圧リレー５４ｂの内部接点が閉でかつＭＣＣＢ３スイッチ５２ｂ入でＭＣＣＢ３補助接点５６ｂが閉のとき励磁される。
【００４５】
さらに、８０Ｘ１接点５７ａと８０Ｘ２接点５７ｂのＯＲ条件で補助リレー８０Ｘ３  ５５ｃのコイルが励磁される。
【００４６】
次に、図７に示す装置Ａ２の作用について説明する。
装置Ａ２における補助リレー８０Ｘ３のノーマルクローズ接点６６ａは、上述した補助リレー８０Ｘ３  ５５ｃコイルが励磁すると開き、電源異常検出ラッチ回路６７ａをロックする。このため、電源異常検出ラッチ回路６７ａが動作せず、制御モードロック及び警報が誤発報されることがない。
【００４７】
また、装置Ｂ２〜Ｄ２においても、補助リレー８０Ｘ３の各ノーマルクローズ接点６６ｂ、６６ｃ、６６ｄは、上述した８０Ｘ３  ５５ｃコイルが励磁すると開き、それぞれ電源異常検出ラッチ回路６７ｂ、６７ｃ、６７ｄをロックする。このため、電源異常検出ラッチ回路６７ｂ、６７ｃ、６７ｄが動作せず、制御モードロック及び警報が誤発報されることがない。
【００４８】
（効果）
以上説明したように、本実施形態では、装置Ａ２〜Ｄ２の電源異常検出ラッチ回路６７ａ、６７ｂ、６７ｃ、６７ｄを同時にロックできるため、ＤＣ分電盤ＭＣＣＢ１スイッチ５１による装置Ａ２〜Ｄ２への制御電源３の一括投入時、または不慮の電圧低下後の電源復電時に装置動作統一が図れ、正誤確認作業は不要となる。
【００４９】
［第４の実施形態］
（構成）
本発明の第４の実施形態に係る電気所保護制御システム８０は、図８に示すＤＣ分電盤７０と、図１２に示す４つの装置Ａ５〜Ｄ５とで構成される。
【００５０】
ＤＣ分電盤７０は、装置Ａ５及び装置Ｂ５を対象とする分電盤回路７０ａと、装置Ｃ５及び装置Ｄ５を対象とする分電盤回路７０ｂからなっている。分電盤回路７０ａは、ＡＣ無停電電源４から電源の供給を受けるＡＣ／ＤＣ電源装置７３と、設定電圧以下になると接点が閉じる不足電圧リレー７４ａと、接点が閉じるとコイルが励磁される電磁接触器Ｙ１  ７５ａと、電磁接触器Ｙ１  ７５ａのノーマルクローズＹ１接点７６ａとで構成される。電磁接触器Ｙ１  ７５ａのノーマルクローズＹ１接点７６ａは、コイルが励磁すると開き、装置Ａ５及び装置Ｂ５への電源供給を遮断する。
【００５１】
また、分電盤回路７０ｂは、分電盤回路７０ａのＡＣ／ＤＣ電源装置７３から分岐して接続されるとともに設定電圧以下になると接点が閉じる不足電圧リレー７４ｂと、接点が閉じるとコイルが励磁される電磁接触器Ｙ２  ７５ｂと、電磁接触器Ｙ２  ７５ｂのノーマルクローズＹ２接点７６ｂとで構成される。電磁接触器Ｙ２  ７５ｂのノーマルクローズＹ２接点７６ｂは、コイルが励磁すると開き、装置Ｃ５及び装置Ｄ５への電源供給を遮断する。
【００５２】
また、図８に示すＤＣ分電盤７０では、電源分割用のＭＣＣＢ２スイッチ７２ａの負荷側に装置Ａ５及びＢ５が接続される一方、ＭＣＣＢ３スイッチ７２ｂの負荷側に装置Ｃ５及びＤ５が接続されている。なお、不足電圧リレー７４ａ、７４ｂの動作電圧は任意に設定ができる。
【００５３】
（作用）
次に、図８のＤＣ分電盤７０の各部の作用について説明する。
【００５４】
制御電源３は、ＭＣＣＢ１スイッチ７１を介してＭＣＣＢ２スイッチ７２ａとＭＣＣＢ３スイッチ７２ｂにて電源分割される。ＭＣＣＢ２スイッチ７２ａは、装置Ａ２と装置Ｂ２に対して制御電源３を一括で開閉する。他方、ＭＣＣＢ３スイッチ７２ｂは、装置Ｃ２と装置Ｄ２に対して制御電源３を一括で開閉する。
【００５５】
分電盤回路７０ａにおいて、ＡＣ／ＤＣ電源装置７３は、ＡＣ無停電電源４からの電源をＡＣからＤＣに変換し、ＤＣ不足電圧検出回路用電源とする。不足電圧リレー７４ａは、電源分割ＭＣＣＢ２スイッチ７２ａの電源側から制御電源３を取り込み、電圧レベル監視を行う。制御電源３の電圧が不足電圧リレー７４の設定電圧以下となると内部接点が閉じる。電磁接触器Ｙ１  ７５ａでは、前記接点が閉じるとコイルが励磁される。
【００５６】
また、分電盤回路７０ｂにおいても、不足電圧リレー７４ｂは、ＭＣＣＢ３スイッチ７２ｂの負荷側から制御電源３を取り込み電圧レベル監視を行う。制御電源３の電圧が不足電圧リレー７４ｂの設定電圧以下となると内部接点が閉じる。電磁接触器Ｙ２  ７５ｂでは、前記接点が閉じるとコイルが励磁される。
【００５７】
電磁接触器Ｙ１  ７５ａのノーマルクローズＹ１接点７６ａは、コイルが励磁すると開き、装置Ａ５及び装置Ｂ５への電源供給を遮断する。同じく、電磁接触器Ｙ２  ７５ｂのノーマルクローズＹ２接点７６ｂは、コイルが励磁すると開き、装置Ｃ５及びＤ５への電源供給を遮断する。
【００５８】
（効果）
以上説明したように、本実施形態では、ＭＣＣＢ２スイッチ７２ａ負荷側電圧を分電盤回路７０ａの不足電圧リレー７４ａで集中監視し、任意の設定電圧以下では、装置Ａ５及び装置Ｂ５への供給電源を遮断するため、ＤＣ分電盤ＭＣＣＢ２スイッチ７２ａによる装置Ａ５及び装置Ｂ５への一括投入時、または電圧低下後の電源復電時の動作統一が図れ、正誤確認作業は不要となる。
【００５９】
また、ＭＣＣＢ３スイッチ７２ｂ負荷側電圧を分電盤回路７０ｂの不足電圧リレー７４ｂで集中監視し、任意の設定電圧以下では、装置Ｃ５及び装置Ｄ５への供給電源を遮断するため、ＤＣ分電盤ＭＣＣＢ３スイッチ７２ｂによる装置Ｃ５及び装置Ｄ５への一括投入時、または電圧低下後の電源復電時の動作統一が図れ、正誤確認作業は不要となる。
【００６０】
［第５の実施形態］
本実施形態では、第１の実施形態において、電源分割２重化回路に適用した例を示す。
【００６１】
（構成）
本発明の第５の実施形態に係る電気所保護制御システム１００は、図９に示すＤＣ分電盤９０と、図１０に示す４つの装置Ａ３〜Ｄ３とで構成される。
【００６２】
まず、図９において、電源は、制御電源５と制御電源６とで電源２重化されている。また、ＤＣ分電盤９０では、制御電源５受電用ＭＣＣＢ１スイッチ９１ａを介して分電盤回路９０ａと接続され、他方、制御電源６受電用ＭＣＣＢ２スイッチ９１ｂを介して分電盤回路９０ｂと接続される。
【００６３】
分電盤回路９０ａは、ＡＣ無停電電源２から電源の供給を受けるＡＣ／ＤＣ電源装置９４と、設定電圧以下になると接点が閉じる不足電圧リレー９５ａと、接点が閉じるとコイルが励磁される補助リレー８０Ｘ１  ９６ａと、を有している。さらに、分電盤回路９０ｂは、分電盤回路９０ａのＡＣ／ＤＣ電源装置９４から分岐して接続されるとともに設定電圧以下になると接点が閉じる不足電圧リレー９５ｂと、接点が閉じるとコイルが励磁される補助リレー８０Ｘ２  ９６ｂと、を有している。なお、不足電圧リレー９５ａ，９５ｂの動作電圧は任意に設定ができる。
【００６４】
また、ＤＣ分電盤９０は、励磁されていない通常の状態でＯＮ、ＯＦＦされる従来の補助リレー８０Ａ  ９３ａ、補助リレー８０Ｂ  ９３ｂと、８０Ａ  接点９７ａ、８０Ｂ  接点９７ｂと、ＡまたはＢのいずれかを優先して選択する優先選択ＳＷ９８ａ、優先選択ＳＷ９８ｂと、キープリレー８８Ｏ／８８Ｒ  ９９とを備え、各々切り替え機能を有している。
【００６５】
また、図９に示すＤＣ分電盤９０では、電源分割用のＭＣＣＢ３スイッチ９２ａ、ＭＣＣＢ４スイッチ９２ｂ、ＭＣＣＢ５スイッチ９２ｃ、ＭＣＣＢ６スイッチ９２ｄの負荷側に、それぞれ、装置Ａ３、装置Ｂ３、装置Ｃ３、装置Ｄ３が接続されている。
【００６６】
次に、図１０に示す装置Ａ３は、制御電源を降圧するＤＣ／ＤＣ電源装置１０１ａと、各部の制御を行う制御ユニット１０２ａと、電源の異常を検出するとラッチを行う電源異常検出ラッチ回路１０６ａと、制御ユニット１０２ａ及び電源異常検出ラッチ回路１０６ａを接続する補助リレー８０Ｘ１及び補助リレー８０Ｘ２と、を備えている。補助リレー８０Ｘ１と補助リレー８０Ｘ２とは互いに並列に配置されており、ぞれぞれ、コイルが励磁すると開き、電源異常検出ラッチ回路１０６ａをロックするノーマルクローズ接点１０４ａ、１０５ａを有している。また、制御ユニット１０２ａは、電源異常検出部１０３ａを実装している。
【００６７】
装置Ｂ３、装置Ｃ３、装置Ｄ３も、装置Ａ３と同様に、それぞれ、ＤＣ／ＤＣ電源装置１０１ｂ、１０１ｃ、１０１ｄと、制御ユニット１０２ｂ、１０２ｃ、１０２ｄと、制御ユニット１０２ｂ、１０２ｃ、１０２ｄに実装された電源異常検出部１０３ｂ、１０３ｃ、１０３ｄと、ノーマルクローズ接点１０４ｂ、１０４ｃ、１０４ｄを有する補助リレー８０Ｘ１と、ノーマルクローズ接点１０５ｂ、１０５ｃ、１０５ｄを有する補助リレー８０Ｘ２と、電源異常検出ラッチ回路１０６ｂ、１０６ｃ、１０６ｄと、を備えている。
【００６８】
（作用）
まず、図９に示すＤＣ分電盤９０の各部の作用を説明する。
【００６９】
分電盤回路９０ａにおいて、ＡＣ／ＤＣ電源装置９４は、ＡＣ無停電電源２からの電源をＡＣからＤＣに変換してＤＣ不足電圧検出回路用電源とする。不足電圧リレー９５ａは、制御電源５受電用ＭＣＣＢ１スイッチ９１ａの負荷側から制御電源５を取り込み電圧レベル監視を行う。制御電源５の電圧が不足電圧リレー９５ａの設定電圧以下となると内部接点が閉じる。補助リレー８０Ｘ１  ９６ａは、前記接点が閉じるとコイルが励磁される。
【００７０】
また、分電盤回路９０ｂにおいて、不足電圧リレー９５ｂは、制御電源６受電用ＭＣＣＢ２スイッチ９１ｂの負荷側から制御電源６を取り込み電圧レベル監視を行う。制御電源６の電圧が不足電圧リレー９５ｂの設定電圧以下となると内部接点が閉じる。補助リレー８０Ｘ２  ９６ｂは、前記接点が閉じるとコイルが励磁される。
【００７１】
次に、図１０に示す装置Ａ３の作用について説明する。
装置Ａ３における補助リレー８０Ｘ１のノーマルクローズ接点１０４ａと補助リレー８０Ｘ２のノーマルクローズ接点１０５ａは、前記コイルが励磁すると開く。両方の接点が開のとき電源異常検出ラッチ回路１０６ａをロックする。このため、電源異常検出ラッチ回路１０６ａが動作せず、制御モードロック及び警報が誤発報されることがない。
【００７２】
また、装置Ｂ３〜Ｄ３においても、補助リレー８０Ｘ１のノーマルクローズ接点１０４ｂ、１０４ｃ、１０４ｄと補助リレー８０Ｘ２のノーマルクローズ接点１０５ｂ、１０５ｃ、１０５ｄは、コイルが励磁すると開く。両方の接点が開のとき、それぞれ電源異常検出ラッチ回路１０６ｂ、１０６ｃ、１０６ｄをロックする。このため、電源異常検出ラッチ回路１０６ｂ、１０６ｃ、１０６ｄが動作せず、制御モードロック及び警報が誤発報されることがない。
【００７３】
（効果）
以上説明したように、本実施形態では、装置Ａ３〜Ｄ３制御電源電圧をＤＣ分電盤９０にて集中監視し、任意の設定電圧以下では、装置Ａ３〜Ｄ３の電源異常検出ラッチ回路１０６ａ、１０６ｂ、１０６ｃ、１０６ｄをロックできるため、ＭＣＣＢ１スイッチ９１ａ、ＭＣＣＢ２スイッチ９１ｂによる制御電源５，６の一括投入時、または不慮の電圧低下後の電源復電時の動作統一が図れ、正誤確認作業は不要となる。
【００７４】
[他の実施形態]
（１）上記各実施形態において、各装置に、不足電圧リレーによる制御モードロック及び警報ロック中であることを知らせる表示器を設置することもできる。
【００７５】
（２）上記各実施形態においては、装置数をＡ〜Ｄの４つとしたが、装置の個数は任意の数とすることができる。
【００７６】
（３）補助リレー８０Ｘ  １５を用いた第１の実施形態と、電磁接触器（Ｙ）３５を用いた第２の実施形態を組み合わせた構成とすることもできる。
【００７７】
（４）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１、３、５、６…制御電源
２、４…ＡＣ無停電電源
１０、３０、５０、７０、９０…ＤＣ分電盤
１１、３１、５１、７１…ＭＣＣＢ１スイッチ
１２ａ、３２ａ、５２ａ、７２ａ…ＭＣＣＢ２スイッチ
１２ｂ、３２ｂ、５２ｂ、７２ｂ…ＭＣＣＢ３スイッチ
１２ｃ、３２ｃ…ＭＣＣＢ４スイッチ
１２ｄ、３２ｄ…ＭＣＣＢ５スイッチ
１３、３３、５３、７３、９４…ＡＣ／ＤＣ電源装置
１４、３４…不足電圧リレー
１５…補助リレー  ８０Ｘ
２０、４０、６０、８０、１００…電気所保護制御システム
２１ａ、２１ｂ、２１ｃ、２１ｄ…ＤＣ／ＤＣ電源装置
２２ａ、２２ｂ、２２ｃ、２２ｄ…制御ユニット
２３ａ、２３ｂ、２３ｃ、２３ｄ…電源異常検出部
２４ａ、２４ｂ、２４ｃ、２４ｄ…ノーマルクローズ接点
２５ａ、２５ｂ、２５ｃ、２５ｄ…電源異常検出ラッチ回路
３５…電磁接触器（Ｙ）
３６…ノーマルクローズＹ接点
５０ａ、５０ｂ…分電盤回路
５４ａ、５４ｂ…不足電圧リレー
５５ａ…補助リレー  ８０Ｘ１
５５ｂ…補助リレー  ８０Ｘ２
５５ｃ…補助リレー  ８０Ｘ３
５６ａ…ＭＣＣＢ２補助接点
５６ｂ…ＭＣＣＢ３補助接点
５７ａ…８０Ｘ１接点
５７ｂ…８０Ｘ２接点
６３ａ、６３ｂ、６３ｃ、６３ｄ…ＤＣ／ＤＣ電源装置
６４ａ、６４ｂ、６４ｃ、６４ｄ…制御ユニット
６５ａ、６５ｂ、６５ｃ、６５ｄ…電源異常検出部
６６ａ、６６ｂ、６６ｃ、６６ｄ…ノーマルクローズ接点
６７ａ、６７ｂ、６７ｃ、６７ｄ…電源異常検出ラッチ回路
７４ａ、７４ｂ…不足電圧リレー
７５ａ…電磁接触器  Ｙ１
７５ｂ…電磁接触器  Ｙ２
７６ａ…ノーマルクローズＹ１接点
７６ｂ…ノーマルクローズＹ２接点
９１ａ…ＭＣＣＢ１スイッチ
９１ｂ…ＭＣＣＢ２スイッチ
９２ａ…ＭＣＣＢ３スイッチ
９２ｂ…ＭＣＣＢ４スイッチ
９２ｃ…ＭＣＣＢ５スイッチ
９２ｄ…ＭＣＣＢ６スイッチ
９３ａ…補助リレー  ８０Ａ
９３ｂ…補助リレー  ８０Ｂ
９５ａ、９５ｂ…不足電圧リレー
９６ａ…補助リレー  ８０Ｘ１
９６ｂ…補助リレー  ８０Ｘ２
９７ａ…８０Ａ接点
９７ｂ…８０Ｂ接点
９８ａ、９８ｂ…優先選択ＳＷ
９９…キープリレー８８Ｏ／８８Ｒ
１０１ａ、１０１ｂ、１０１ｃ、１０１ｄ…ＤＣ／ＤＣ電源装置
１０２ａ、１０２ｂ、１０２ｃ、１０２ｄ…制御ユニット
１０３ａ、１０３ｂ、１０３ｃ、１０３ｄ…電源異常検出部
１０４ａ、１０４ｂ、１０４ｃ、１０４ｄ…ノーマルクローズ接点
１０５、１０５ｂ、１０５ｃ、１０５ｄ…ノーマルクローズ接点
１０６ａ、１０６ｂ、１０６ｃ、１０６ｄ…電源異常検出ラッチ回路
【図１】
2014180073.tif 000003
【図２】
2014180073.tif 000004
【図３】
2014180073.tif 000005
【図４】
2014180073.tif 000006
【図５】
2014180073.tif 000007
【図６】
2014180073.tif 000008
【図７】
2014180073.tif 000009
【図８】
2014180073.tif 000010
【図９】
2014180073.tif 000011
【図１０】
2014180073.tif 000012
【図１１】
2014180073.tif 000013
【図１２】
2014180073.tif 000014
【図１３】
2014180073.tif 000015